(57)【特許請求の範囲】
【請求項１】
通信の中断後にダウンリンクスループットを操作する、ユーザ機器（ＵＥ）デバイスのための方法であって、
第１の無線通信プロトコルに従って基地局（ＢＳ）と通信する工程と、
前記ＵＥと前記ＢＳとの間の通信に中断が発生したと判断する工程と、
前記中断後、前記第１の無線通信プロトコルに従って前記ＢＳと通信を再開する工程と、を含み、
前記ＢＳと通信を再開する工程は、
第１の１つ以上のチャネル品質測定値に基づいて第１のチャネル品質情報を生成する工程と、
前記ＢＳへ前記第１のチャネル品質情報を送信する工程と、
第１のダウンリンクチャネル情報を前記ＢＳから受信する工程であって、前記第１のダウンリンクチャネル情報は、割り当てられた第１のダウンリンクスループットを反映し、前記第１のダウンリンクスループットは、前記ＵＥから受信した前記第１のチャネル品質情報に少なくとも部分的に基づいて前記ＢＳによって割り当てられる、第１のダウンリンクチャネル情報を前記ＢＳから受信する工程と、
第２の１つ以上のチャネル品質測定値に基づいて第２のチャネル品質情報を生成する工程と、
前記第２のチャネル品質情報のオフセットを生成する工程であって、前記オフセットは将来のダウンリンクスループットの割り当てを修正するために、前記第１のダウンリンクチャネル情報に少なくとも部分的に基づいて生成される、前記第２のチャネル品質情報のオフセットを生成する工程と、
前記オフセットにより修正された前記第２のチャネル品質情報を前記ＢＳに送信する工程と、を含む方法。
【請求項２】
ダウンリンク誤り率を推定する工程を更に含み、
前記オフセットは前記推定したダウンリンク誤り率と目標ダウンリンク誤り率に少なくとも部分的に基づいて生成される、請求項１に記載の方法。
【請求項３】
前記ＢＳとの通信再開以降にダウンリンクのデータブロックの受信に成功したか失敗したかを判断する工程を更に含み、
前記オフセットは、前記ＢＳとの通信再開以降にダウンリンクのデータブロックの受信に成功したか失敗したかの判断に少なくとも部分的に基づいて生成される、請求項１に記載の方法。
【請求項４】
前記第１のダウンリンクチャネル情報は変調及び符号化スキーム（ＭＣＳ）の割り当てを含み、前記ＭＣＳの割り当ては、前記ＢＳと前記ＵＥとの間のダウンリンク通信に使用される変調及び符号化の種類を指定する、請求項１に記載の方法。
【請求項５】
前記ＢＳは、前記ＭＣＳの割り当てを決定するために前記ＵＥから受信したチャネル品質情報を使用し、前記ＵＥは前記オフセットにより前記第２のチャネル品質情報を修正することによって将来のＭＣＳの割り当てを操作する、請求項４に記載の方法。
【請求項６】
前記第１のチャネル品質情報に基づいてＭＣＳの割り当てを推定する工程と、
前記ＢＳから受信した前記ＭＣＳの割り当てと前記推定したＭＣＳの割り当てとの差を計算する工程と、を更に含み、
前記オフセットは、前記ＢＳから受信した前記ＭＣＳの割り当てと前記推定したＭＣＳの割り当てとの前記差に少なくとも部分的に基づいて生成される、請求項４に記載の方法。
【請求項７】
無線通信を実行するための１つ以上のアンテナを含む無線器と、
プロセッサと、
通信の中断後に、第１の無線通信プロトコルに従って、ＢＳとの通信を再開するためのプログラム命令を含むコンピュータアクセス可能なメモリ媒体と、を備え、前記プログラム命令は、前記プロセッサによって、
第１のチャネル品質情報を生成する工程と、
前記第１のチャネル品質情報を前記ＢＳへ送信する工程と、
前記ＢＳからの第１の変調及び符号化スキーム（ＭＣＳ）の割り当てを受信する工程であって、前記第１のＭＣＳの割り当てが前記第１のチャネル品質情報に少なくとも部分的に基づく、前記ＢＳからの第１の変調及び符号化スキーム（ＭＣＳ）の割り当てを受信する工程と、
第２のチャネル品質情報を生成する工程であって、前記第２のチャネル品質情報は、第２のＭＣＳの割り当てを修正するように構成されたオフセットを含み、前記オフセットは前記第１のＭＣＳの割り当てに少なくとも部分的に基づく、第２のチャネル品質情報を生成する工程と、
前記第２のチャネル品質情報を前記ＢＳへ送信する工程と、を実行可能である、ユーザ機器（ＵＥ）デバイス。
【請求項８】
前記ＵＥデバイスは、前記無線器を使用して、前記第１の無線通信プロトコル又は第２の無線通信プロトコルのいずれかに従って通信するように構成され、
前記通信の中断は、ある期間、前記ＵＥデバイスが前記第２の無線通信プロトコルに従って通信するために前記無線器を使用することを含む、請求項７に記載のＵＥデバイス。
【請求項９】
前記通信の中断は、第１の期間にわたって発生し、
前記プログラム命令は、反復してＭＣＳの割り当てを受信して、第２の期間にわたって将来のＭＣＳの割り当てを修正するように構成されたオフセットを含むチャネル品質情報を生成する工程を更に実行可能であり、前記第２の期間の持続時間は前記第１の期間の持続時間に少なくとも部分的に基づいている、請求項７に記載のＵＥデバイス。
【請求項１０】
前記第１のチャネル品質情報は、前記第１のＭＣＳの割り当てを修正するように構成された第１のオフセットを含み、前記第１のオフセットは固定されたオフセットであり、
前記第２のチャネル品質情報に含まれる前記オフセットは、第２のオフセットを含み、前記第２のオフセットは、前記第１のＭＣＳの割り当てに少なくとも部分的に基づいて動的に選択される、請求項７に記載のＵＥデバイス。
【請求項１１】
前記第２のオフセットはまた、前記第１のチャネル品質情報に少なくとも部分的に基づいて選択される、請求項１０に記載のＵＥデバイス。
【請求項１２】
前記プログラム命令は、
前記第１のチャネル品質情報に基づいて前記ＵＥのために適切なＭＣＳを推定する工程と、
前記推定された適切なＭＣＳと前記第１のＭＣＳの割り当てとの差を計算する工程と、
前記推定された適切なＭＣＳと前記第１のＭＣＳの割り当てとの前記差に少なくとも部分的に基づいて前記オフセットを生成する工程と、を更に実行可能である、請求項７に記載のＵＥデバイス。
【請求項１３】
前記プログラム命令は、
前記ＢＳとの通信再開以降にダウンリンクのデータブロックの受信に成功したか失敗したかを判断する工程を更に実行可能であり、
前記オフセットは、前記ＢＳとの通信再開以降にダウンリンクのデータブロックの受信に成功したか失敗したかの判断に少なくとも部分的に基づいて生成される、請求項７に記載のＵＥデバイス。
【請求項１４】
前記プログラム命令は、前記ＢＳとの通信再開以降にダウンリンクのデータブロックに含まれる巡回冗長検査（ＣＲＣ）情報に基づいてダウンリンクのデータブロックの受信に成功したか失敗したかを判断する工程を実行可能である、請求項１３に記載のＵＥデバイス。
【請求項１５】
通信の中断後に変調及び符号化スキーム（ＭＣＳ）の選択を操作する、無線ユーザ機器（ＵＥ）デバイスのための方法であって、
第１の時点で第１の無線通信プロトコルに従って第１の基地局（ＢＳ）と通信する工程と、
第２の時点で第２の無線通信プロトコルに従って第２のＢＳと通信する工程であって、前記第１のＢＳとの通信の中断を含む、第２の時点で第２の無線通信プロトコルに従って第２のＢＳと通信する工程と、
第３の時点で前記第１のＢＳと通信を再開する工程と、を含み、前記第１のＢＳと通信を再開する工程は、
第１のＣＱＩ値を生成し送信する工程であって、前記第１のＣＱＩ値は第１のチャネル品質推定値に基づいて生成される、第１のＣＱＩ値を生成し送信する工程と、
前記ＢＳからＭＣＳの割り当てを受信する工程であって、前記ＭＣＳの割り当ては、前記第１のＣＱＩ値に少なくとも部分的に基づき、前記第２の時点からの１つ以上のブロック誤り率の推定値に少なくとも部分的に基づいて前記ＢＳによって選択される、前記ＢＳからＭＣＳの割り当てを受信する工程と、
前記第１のＣＱＩ値に基づいてＭＣＳの推定値を生成する工程と、
第２のＣＱＩ値を生成し送信する工程であって、前記第２のＣＱＩ値は、第２のチャネル品質推定値とＣＱＩオフセットに基づいて生成され、前記ＣＱＩオフセットは前記ＭＣＳの割り当てと前記ＭＣＳの推定値との差に基づく、第２のＣＱＩ値を生成し送信する工程と、を含む方法。
【請求項１６】
前記第２の時点からの前記１つ以上のブロック誤り率の推定値は前記通信の中断を反映する、請求項１５に記載の方法。
【請求項１７】
前記ＣＱＩオフセットはまた、前記ＵＥによって受信されたデータブロック内の巡回冗長検査（ＣＲＣ）情報に基づいている、請求項１５に記載の方法。
【請求項１８】
前記第１のＣＱＩ値を生成し送信する工程は、前記第３の時点での前記第１のＢＳとの通信再開以降に前記ＢＳから任意のＭＣＳの割り当てを受信する前に行われる、請求項１５に記載の方法。
【発明の詳細な説明】
【技術分野】
【０００１】
本出願は、無線デバイスに関し、より詳細には、通信の中断後ＭＣＳの回復を加速するためのシステム及び方法に関する。
【背景技術】
【０００２】
無線通信システムの利用が急速に伸びている。更に、無線通信技術は、音声のみの通信から、インターネット及びマルチメディアコンテンツ等の、データの伝送も含むまでに進化した。無線通信システムが進化するにつれて、無線通信技術の後続世代が開発される傾向がある。新世代の無線技術の採用は、１つ以上の前世代の同様の技術が、新世代技術と共存する期間、例えば新世代の無線技術が完全に普及するまでの期間においての、漸進的なプロセスであってもよい。
【０００３】
更に、多数の異なる無線通信技術及び規格が存在する。無線通信規格のいくつかの例としては、ＧＳＭ（登録商標）、ＵＭＴＳ、ＬＴＥ、ＣＤＭＡ２０００（例えば、１ｘＲＴＴ、１ｘＥＶ−ＤＯ）、ＩＥＥＥ８０２．１１（ＷＬＡＮ又はＷｉ−Ｆｉ（登録商標））、ＩＥＥＥ８０２．１６（ＷｉＭＡＸ（登録商標））、Ｂｌｕｅｔｏｏｔｈ（登録商標）等が含まれる。これらの規格の一部は、補完の機能を果たすことができる一方、他のものは、典型的には、消費者間での類似のニーズを満たすことを試みる競合と見なすことができる。
【０００４】
無線通信技術の世代間の連続性をもたらすために、補完的な機能性を提供するために、及び／又はその他の理由のために、デバイスが複数の無線技術又は規格を使用して通信するための能力を提供することが望ましい場合が多い。これは、各無線技術の個別のＲＦ回路、及び／又は無線デバイスに実装されている二つ以上の無線技術の共有のＲＦ回路を提供することにより、達成することができる。
【０００５】
ある無線通信システムでは、基地局（ＢＳ）と無線ユーザ機器（ＵＥ）デバイスとの間の改善された通信を提供するために、ＵＥはチャネル品質を示す種々のメトリクスをＢＳへのフィードバックのために算出することができる。ＢＳは、ＵＥとの通信を調整するためにこのフィードバックを使用し、ＵＥとの改良された通信を提供することができる。例えば、いくつかのシステムでは、これらのチャネル品質メトリクスは、各ＵＥに割り当てられる符号化率及び変調方式を決定するためにＢＳが使用し得る。符号化率及び変調方式は、特定のＵＥに対するスループットを最大化するためだけでなく、スケジューリングを通じて基地局通信領域（例えば、セル）の全体的なスループットを改善するために選択することができる。チャネル品質インジケータの使用により、ＢＳはより十分に無線チャネルの状態を利用して、様々な無線ＵＥデバイスの通信スループットを向上することができる。
【０００６】
しかし、無線デバイスが共有のＲＦ回路を使用する複数の無線技術を使用して通信するよう構成されている場合は、他の無線技術を使用するために、共有のＲＦ回路をある無線技術による使用から定期的に「チューンアウェイ（tune-away）」する必要があり得る。通信のこの中断は、同期はずれの状況を誘起し、ＵＥデバイスの適切な符号化率及び変調方式をＢＳが決定することを可能にするためのチャネル品質フィードバック情報をＢＳに提供するＵＥの通常の処理を中断させる可能性がある。これにより、ＵＥが元の無線技術にチューニングバック（tuning-back）した場合、ＵＥのダウンリンク（ＤＬ）機能に不当なペナルティが生じる可能性を有する。
【０００７】
更に、長いフェード状況では、通信の中断により、複数の無線技術間を行ったり来たりしてチューニングする（tuning back-and-forth）ことが問題にならない場合であっても、ＵＥ上のＤＬ機能に類似の同期はずれ状況及び／又はペナルティをもたらし得る。したがって、無線通信の改善が望ましいであろう。
【発明の概要】
【０００８】
上記及び他の問題に照らして、通信の中断後のダウンリンクのスループット（例えば、変調及び符号化スキーム（ＭＣＳ）による）の回復を操作するための方法と、その方法を実施するように構成されている無線ユーザ機器（ＵＥ）デバイスと、に関する実施形態が本明細書に提示されている。ＵＥは、基地局（ＢＳ）と無線通信を行うための、１つ以上のアンテナを含む１つ以上の無線器（radio）を含んでもよい。ＵＥはまた、この方法を実施するように構成されたデバイスロジック（プロセッサ及びメモリ媒体及び／又はハードウェアロジックを含んでもよい）を含むことができる。実施形態はまた、その方法の一部又はすべてを実行するためにプロセッサによって実行可能なプログラム命令を含む記憶媒体（例えば、不揮発性のコンピュータアクセス可能な記憶媒体）を提示している。本方法は次のとおり実行され得る。
【０００９】
ＵＥデバイスは、第１の無線通信プロトコルに従って第１のＢＳと通信することができる。ＵＥと第１のＢＳとの間に通信の中断が発生したことを判断することができる。
【００１０】
中断は、一つの可能性として、長いフェードであり得る。この場合には、ＵＥは、チャネル状態の監視（たとえば、質的指標の測定）により中断が起きていると判断することができ、また一定の条件が満たされた場合（たとえば、チャネル条件が通常の範囲内に戻った場合）に、中断（長いフェード）が終了したと判断することができる。
【００１１】
別の可能性として、ＵＥは、第１及び第２の無線通信プロトコルとの間で共有の無線器を用いて第２の無線通信プロトコルを使用して通信するように構成することができる。通信の中断は、この場合、第２の無線通信プロトコルに従って第２の基地局と通信するために、ＵＥデバイスが第１のＢＳから「チューニングアウェイ」することを含み得る。この場合、ＵＥは、ＵＥデバイスが第１の無線通信プロトコルに従って第１のＢＳと「チューンバック」して通信を再開した場合に、中断が終了したと判断することができる。
【００１２】
中断後、第１の無線通信プロトコルに従って第１のＢＳとの通信再開時に、ＵＥは、第１のチャネル品質情報を生成してもよい。第１のチャネル品質情報は、例えば、第１の無線通信プロトコルがＬＴＥである場合には、ＣＱＩ値を含むことができる。第１のチャネル品質情報は、第１の１つ以上のチャネル品質測定値に少なくとも部分的に基づいて生成されることができる。
【００１３】
また、第１のチャネル品質情報は、第１のオフセットによって修正されてもよい。例えば、第１のオフセットは、ＵＥと第１のＢＳとの間の通信の中断が発生したと判断することに基づいて、第１のＢＳによるダウンリンクのスループットの割り当て（例えば、ＭＣＳの割り当てによって反映されるように）を操作するように構成することができる。一つの可能性として、第１のオフセットは小さな固定のオフセットでもよい。あるいは、第１のチャネル品質情報は、第１の１つ以上のチャネル品質測定値に完全に基づいてもよい。第１のチャネル品質情報は、第１のＢＳに送信することができる。
【００１４】
ＵＥは、第１のＢＳから第１のダウンリンクチャネル情報を受信してもよい。第１のダウンリンクのチャネル情報は、第１の割り当てられたダウンリンクスループットを反映することができる。第１のダウンリンクチャンネル情報は、第１のＭＣＳ割り当てを含んでもよく、この割り当ては、第１のＢＳからＵＥへのダウンリンク通信に使用される変調と符号化の種類を指定することができる。ＭＣＳの割り当ては、第１のＢＳからＵＥへのダウンリンクのスループットに直接影響を及ぼし得るので、ＵＥのダウンリンクのスループット割り当てを反映していると効果的に見なし得る。
【００１５】
第１のダウンリンクスループットは、ＵＥから受信した第１のチャネル品質情報に少なくとも部分的に基づいて、ＢＳによって割り当てることができる。例えば、第１のＢＳによるＭＣＳの割り当ては、ＵＥから受信したチャネル品質情報に少なくとも部分的に基づいてもよい。第１のＢＳによるＭＣＳの割り当てはまた、ブロック誤り率推定値のような、最近の１つ以上のダウンリンク誤り率の推定値に少なくとも部分的に基づくことができる。ダウンリンク誤り率の推定は、通信が中断している期間の推定を含み得るので、正確に現在のダウンリンク誤り率を表していない可能性がある。
【００１６】
ＵＥは、続いて第２のチャネル品質情報を生成してもよい。第２のチャネル品質情報は、例えば、第１の無線通信プロトコルがＬＴＥである場合には、ＣＱＩ値を含むことができる。第２のチャネル品質情報は、第２の１つ以上のチャネル品質測定値に少なくとも部分的に基づいて生成されることができる。
【００１７】
第２のチャネル品質情報も第２のオフセットに基づく（又は修正される）ことができる。第２のオフセットは、第１のダウンリンクチャネル情報（例えば、第１の１つ以上のチャネル品質測定値）に少なくとも部分的に基づいて生成されてもよく、将来のダウンリンクのスループットの割り当て（例えば、ＭＣＳの割り当てによって反映されるような）を修正するように構成することができる。例えば、第１のＢＳは、通信が中断している時間のダウンリンク誤り率の推定を含み得るので、それに基づいて選択されたＭＣＳの割り当ては、実際の現在のチャネル状態に最適でないかもしれない。したがって、実際の現在のチャネル状態に対してより適切となるように、ＢＳによるＭＣＳの割り当てを操作するように第２のオフセットを構成することが望ましいであろう。
【００１８】
したがって、ＵＥは、第１のチャネル品質情報に基づいて適切な第１のＭＣＳの割り当てを推定し、推定された適切な第１のＭＣＳの割り当てと実際の第１のＭＣＳの割り当てとの差を計算することができる。この差は、将来の実際のＭＣＳ割り当てと、推定した適切なＭＣＳ割り当てとの差を低減するために、第２のオフセットを生成するための基礎として使用することができる。
【００１９】
更に、第２のオフセットは、少なくとも部分的に、ダウンリンク誤り率の推定に基づくか、場合によってはダウンリンク誤り率を表す情報に基づいて生成してもよい。例えば、ダウンリンクのデータブロックは、巡回冗長検査（ＣＲＣ）情報を含むことができ、この情報は、ＵＥが第１のＢＳからダウンリンクチャネルを介してデータの受信に成功したか否かを確認するために使用することができる。第１のＢＳとの通信再開以降に、受信に成功したそのようなデータブロックがどれだけあるか、そして受信に失敗したデータブロックがどれだけあるかを監視し、そのような情報を目標ダウンリンク誤り率を示す情報と組み合わせて、第２のオフセット生成の一部として使用することにより、第２のオフセットがＭＣＳの割り当てを過剰に操作していないことを確認するための照合をＵＥは提供することができる。例えば、ＵＥによる計算が、ＵＥにおけるダウンリンク誤り率が目標ダウンリンク誤り率以下である（より良い）ことを示す場合、ＵＥデバイスは、第２のオフセットにより第２のチャネル品質情報を修正すればよい。
【００２０】
第２のチャネル品質情報（例えば、第２のオフセットによって修正されるような）は、第１のＢＳに送信することができる。第１のＢＳは、その後、受信した第２のチャネル品質情報に部分的に基づいて、ＵＥのための次のＭＣＳを割り当てることができる。ＵＥは、反復的に将来のＭＣＳの割り当てを受信し、一定期間同様の方法で将来のＭＣＳの割り当てを修正するように構成されたオフセットを含むか、又はそのオフセットにより修正された、将来のチャネル品質情報を生成し続けるように構成することができる。この一定期間の長さは、通信の中断の持続期間に少なくとも部分的に基づいてもよい。その期間が経過した後に、ＵＥは、将来のＭＣＳの割り当てを受信し、将来のチャネル品質情報を生成し続けてもよいが、これらのチャネル品質情報の送信は、オフセットを含まないか、又はそのオフセットにより修正されない可能性がある。
【図面の簡単な説明】
【００２１】
実施形態の以下の詳細な説明について以下図面と併せて考察すると、本発明の主題をより良く理解することができる。
【００２２】
【図１】例示的な（及び簡略化された）無線通信システムを示す図である。
【００２３】
【図２】ユーザ機器と通信する基地局である。
【００２４】
【図３】ＵＥの例示的なブロック図である。
【００２５】
【図４】通信の中断後のＭＣＳの回復を加速するための方法を示すフローチャートである。
【００２６】
【図５】ＢＳとＵＥとの間の通信を示すシステム図である。
【００２７】
【図６】チューンアウェイ又はフェード後の期間の例示的なＣＱＩ選択処理を示すフローチャートである。
【００２８】
【図７】図６に示す例示的なＣＱＩ選択処理のタイミングを示すタイミング図である。
【００２９】
【図８】図６に示す例示的なＣＱＩ選択処理の一態様を示すデータフロー図である。
【００３０】
【図９】ＣＱＩがＭＣＳを検索するために使用することができる例示的な表である。
【００３１】
本明細書に記載される特徴は種々の変更及び代替の形態を受ける余地があるが、その特定の実施形態を例として図面に示し、本明細書において詳細に説明する。しかし、図面及びそれらに対する詳細な説明は、開示されている特定の形態に限定することを意図されているのではなく、逆にその意図は、添付の請求項によって定義されている全ての本主題の趣旨及び範囲内に入る全ての変更、均等物及び代替物を範囲に含むことを理解されたい。
【発明を実施するための形態】
【００３２】
略語
本特許出願において、以下の略語が用いられている。
【００３３】
ＰＥＲ：パケット誤り率（Packet Error Rate）
【００３４】
ＢＬＥＲ：ブロック誤り率（Block Error Rate）（パケット誤り率と同じ）
【００３５】
ＢＥＲ：ビット誤り率（Bit Error Rate）
【００３６】
ＣＲＣ：巡回冗長検査（Cyclic Redundancy Check）
【００３７】
ＵＬ：アップリンク（Uplink）
【００３８】
ＤＬ：ダウンリンク（Downlink）
【００３９】
ＳＮＲ：信号対雑音比（Signal to Noise Ratio）
【００４０】
ＳＩＲ：信号対干渉比（Signal to Interference Ratio）
【００４１】
ＳＩＮＲ：信号対干渉及び雑音比（Signal to Interference-and-Noise Ratio）
【００４２】
Ｔｘ：送信（Transmission（又はTransmit））
【００４３】
Ｒｘ：受信（reception（又はReceive））
【００４４】
ＵＥ：ユーザ機器（User Equipment）
【００４５】
ＵＭＴＳ：ユニバーサル移動通信システム（Universal Mobile Telecommunication System）
【００４６】
ＬＴＥ：ロングタームエボリューション
【００４７】
ＰＤＳＣＨ：物理ダウンリンク共用チャネル（Physical Downlink Shared Channel）
用語
【００４８】
以下は、本出願において用いられている用語の用語集である。
【００４９】
メモリ媒体−様々な種類のメモリデバイス又は記憶デバイスの任意のもの。用語「メモリ媒体」は、インストール媒体、例えば、ＣＤ−ＲＯＭ、フロッピー（登録商標）ディスク、又はテープデバイス；ＤＲＡＭ、ＤＤＲ  ＲＡＭ、ＳＲＡＭ、ＥＤＯ  ＲＡＭ、ラムバスＲＡＭ等のコンピュータシステムメモリ又はランダムアクセスメモリ；フラッシュ、磁気メディア等の不揮発性メモリ、例えば、ハードドライブ、又は光記憶装置；レジスタ、又はその他の同様の種類のメモリ要素等を含むことが意図されている。メモリ媒体は、他の種類のメモリを含んでもよく、それらの組み合わせを含んでもよい。加えて、メモリ媒体は、プログラムが実行される第１のコンピュータシステム内に配置されてもよく、又はインターネット等のネットワークを通じて第１のコンピュータシステムに接続する第２の別のコンピュータシステム内に配置されてもよい。後者の例では、第２のコンピュータシステムは実行のためにプログラム命令を第１のコンピュータシステムに提供してもよい。用語「メモリ媒体」は、異なる場所、例えば、ネットワークを通じて接続された異なるコンピュータシステム内に存在し得る、２つ以上のメモリ媒体を含んでもよい。
【００５０】
キャリア媒体−上述したようなメモリ媒体、並びにバス、ネットワーク等の物理的伝送媒体、及び／又は電気的信号、電磁気的信号、又はデジタル信号等の信号を伝達するその他の物理的伝送媒体。
【００５１】
プログラム可能ハードウェア要素−プログラム可能インターコネクトを介して接続される複数のプログラム可能機能ブロックを含む種々のハードウェアデバイスを含む。例としては、ＦＰＧＡ（Field Programmable Gate Array、フィールドプログラマブルゲートアレイ）、ＰＬＤ（Programmable Logic Device、プログラム可能論理デバイス）、ＦＰＯＡ（Field Programmable Object Array、フィールドプログラマブルオブジェクトアレイ）、及びＣＰＬＤ（Complex PLD、複合ＰＬＤ）が挙げられる。プログラム可能機能ブロックは、細かい粒度のもの（組み合わせ論理又はルックアップテーブル）から粗い粒度のもの（算術論理演算装置又はプロセッサコア）にまで及んでもよい。プログラム可能なハードウェア要素は「再構成可能論理」と呼ぶこともできる。
【００５２】
コンピュータシステム−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス、あるいはデバイスの組み合わせを含む、様々な種類のコンピューティング又は処理システムの任意のもの。一般的に、用語「コンピュータシステム」は、メモリ媒体からの命令を実行する少なくとも１つのプロセッサを有する任意のデバイス（又はデバイスの組み合わせ）を包含するように広義に定義することができる。
【００５３】
ユーザ機器（ＵＥ）（又は「ＵＥデバイス」）−移動式又は携帯式であり、無線通信を実行する様々な種類のコンピュータシステムデバイスの任意のもの。ＵＥデバイスの例としては、携帯電話又はスマートフォン（例えば、ｉＰｈｏｎｅ（登録商標）、Ａｎｄｒｏｉｄ（登録商標）ベースの電話）、ポータブルゲーム機器（例えば、Ｎｉｎｔｅｎｄｏ  ＤＳ（登録商標）、ＰｌａｙＳｔａｔｉｏｎ  Ｐｏｒｔａｂｌｅ（登録商標）、Ｇａｍｅｂｏｙ  Ａｄｖａｎｃｅ（登録商標）、ｉＰｏｄ（登録商標））、ラップトップ、タブレットコンピュータ（例えば、ｉＰａｄ（登録商標）、Ａｎｄｒｏｉｄ（登録商標）ベースのタブレットコンピュータ）、ＰＤＡ、ポータブルインターネット機器、音楽プレーヤ、データ記憶デバイス、又は他のハンドヘルドデバイスが挙げられる。一般に、用語「ＵＥ」又は「ＵＥデバイス」は、ユーザが容易に持ち運びでき、無線通信が可能な任意の電子的、コンピューティング及び／又は遠隔通信デバイス（又はデバイスの組み合わせ）を包含するように幅広く定義され得る。
【００５４】
基地局−用語「基地局」は、その通常の意味の全範囲を有し、少なくとも、固定場所に設置され、無線電話システム又は無線システムの一部として通信するために使用される無線通信局を含む。
【００５５】
チャネル−送信側（送信機）から受信機に情報を伝達するために使用される媒体。これは、用語「チャネル」の定義は、異なる無線プロトコルに応じて違うため、本明細書で用いられる用語「チャネル」は、用語が使用されるデバイスの種類の標準に合致する様式で使用されていると考えるべきである。いくつかの規格では、チャネル幅が可変であってもよい（例えば、デバイス能力、帯域条件等に依存する）。例えば、ＬＴＥは、１．４ＭＨｚから２０ＭＨｚまでのスケーラブルなチャネル帯域幅をサポートすることができる。Ｂｌｕｅｔｏｏｔｈ（登録商標）のチャンネル幅が１ＭＨｚに対して、ＷＬＡＮのチャネル幅が２２ＭＨｚであるのは対照的である。他のプロトコル及び規格は、チャネルの異なる定義を含むことができる。更に、いくつかの規格は、チャネルの複数のタイプ、例えば、アップリンクとダウンリンクで異なるチャネル、及び／又は、データ、制御情報などの異なる用途のための異なるチャネルを定義し、使用することができる。
【００５６】
自動的に−アクション又は動作を直接指定又は実行するユーザ入力を用いることなく、コンピュータシステム（例えば、コンピュータシステムによって実行されるソフトウェア）又はデバイス（例えば、電気回路、プログラム可能なハードウェア要素、ＡＳＩＣ等）によって実行されるアクション又は動作に言及する。それゆえ、用語「自動的に」は、動作を直接実行するためにユーザが入力を提供する、ユーザによって手作業で実行又は指定される操作とは対照的である。自動手順は、ユーザによって提供される入力によって開始されてもよいが、「自動的に」実行される後続のアクションはユーザによって指定されない、すなわち、実行するべきそれぞれのアクションをユーザが指定する「手作業」では実行されない。例えば、ユーザが、それぞれのフィールドを選択し、（例えば、情報を打ち込むこと、チェックボックス、ラジオ選択を選択すること等によって）情報を指定する入力を提供することによって電子フォームに記入することは、たとえ、コンピュータシステムがユーザアクションに応答してフォームを更新しなければならないとはいえ、手作業でフォームに記入することである。コンピュータシステム（例えば、コンピュータシステム上で実行するソフトウェア）がフォームのフィールドを分析し、フィールドへの答えを指定するユーザ入力を全く用いずにフォームに書き込む場合、フォームはコンピュータシステムによって自動的に記入され得る。上述のように、ユーザはフォームの自動記入を呼び出してもよいが、フォームの実際の記入には関わらない（例えば、ユーザはフィールドへの答えを手作業で指定せず、代わりにそれらは自動的に埋められる）。本明細書は、ユーザが取ったアクションに応答して動作が自動的に実行される種々の例を提示する。
図１及び図２−通信システム
【００５７】
図１は、例示的な（また簡略化された）無線通信システムを示している。図１のシステムはあり得るシステムの単なる一例にすぎず、実施形態は所望に応じて種々のシステムの任意のものにおいて実行され得ることに留意されたい。
【００５８】
図示のように、例示的な無線通信システムは、伝送媒体を介して１つ以上のユーザデバイス１０６−１〜１０６−Ｎと通信する基地局１０２を含む。本明細書では、ユーザデバイスの各々を「ユーザ機器」（ＵＥ）と呼ぶことがある。このように、ユーザデバイスはＵＥ又はＵＥデバイスと呼ばれる。
【００５９】
基地局１０２は無線基地局装置（base transceiver station、ＢＴＳ）又はセルサイトであってよく、ＵＥ１０６Ａ〜１０６Ｎとの無線通信を可能にするハードウェアを含んでもよい。基地局１０２は、ネットワーク１００と通信する機能を備えていてもよい。それゆえ、基地局１０２は、ＵＥ同士の間及び／又はＵＥとネットワーク１００との間の通信を促進することができる。基地局の通信領域（即ち、カバレッジ領域）を「セル」と称することができる。基地局１０２及びＵＥは、ＧＳＭ（登録商標）、ＣＤＭＡ、ＷＬＬ、ＷＡＮ、ＷｉＦｉ、ＷｉＭａｘなどの様々な無線通信技術のいずれかを使用して伝送媒体を介して通信するように構成することができる。
【００６０】
ＵＥ１０６は、複数の無線通信規格を使用して通信し得る。例えば、ＵＥ１０６は、３ＧＰＰセルラー通信規格（ＬＴＥなど）又は３ＧＰＰ２セルラー通信規格（ＣＤＭＡ２０００ファミリーのセルラー通信規格など）のいずれかを用いて通信するよう構成されてもよい。したがって、ＵＥ１０６は、第１のセルラー通信規格（例えば、ＬＴＥ）に従って基地局１０２と通信するように構成されてもよく、第２のセルラー通信規格（例えば、１つ以上のＣＤＭＡ２０００セルラー通信規格）に従って他の基地局と通信するように構成されてもよい。同一の又は異なるセルラー通信規格に従って動作する基地局１０２及び他の同様の基地局は、したがって、１つ以上のセルラー通信規格を介して、広い地理的エリアにわたってＵＥ１０６及び同様のデバイスに連続性のある又はほぼ連続性のある重複するサービスを提供することができる、セルのネットワークとして提供され得る。
【００６１】
ＵＥ１０６はまた、あるいは代替的に、ＷＬＡＮ、Ｂｌｕｅｔｏｏｔｈ（登録商標）、１つ以上のグローバルナビゲーション衛星システム（ＧＮＳＳ、例えばＧＰＳ又はＧＬＯＮＡＳＳ）、並びに１つ及び／又は複数のモバイルテレビ放送規格（例えば、ＡＴＳＣ−Ｍ／Ｈ又はＤＶＢ−Ｈ）等を使用して通信するように構成され得る。無線通信規格の他の組み合わせ（２より多い無線通信規格を含む）も可能である。
【００６２】
図２は、基地局１０２と通信するユーザ機器１０６（例えば、装置１０６−１〜１０６−Ｎのうちの１つ）を示している。ＵＥ１０６は、モバイル電話、ハンドヘルドデバイス、コンピュータ又はタブレット等の無線ネットワーク接続性を有するデバイス、あるいは実質上あらゆる種類の無線デバイスであってよい。
【００６３】
ＵＥは、メモリ内に記憶されたプログラム命令を実行するように構成されたプロセッサを含んでもよい。ＵＥは、このような記憶された命令を実行することによって本明細書に記載されている方法の実施形態のうちの任意のものを実行することができる。あるいは、又は更に、ＵＥは、本明細書に記載されている方法の実施形態のうちの任意のもの、又は本明細書に記載されている方法実施形態のうちの任意のものの任意の部分を実行するように構成されたＦＰＧＡ（フィールドプログラマブルゲートアレイ）等のプログラム可能ハードウェア要素を含んでもよい。
【００６４】
ＵＥ１０６は、複数の無線通信プロトコルのいずれかを使用して通信するように構成することができる。例えば、ＵＥ１０６はＣＤＭＡ２０００、ＬＴＥ、ＷＬＡＮ、又はＧＮＳＳの２つ以上を使用して通信するように構成し得る。無線通信規格の他の組み合わせもまた可能である。
【００６５】
ＵＥ１０６には、１つ以上の無線通信プロトコルを使用して通信するための１つ以上のアンテナを含み得る。ＵＥ１０６は、複数の無線通信規格の間での受信及び／又は送信チェーンの１つ以上の部分を共有することができる。例えば、ＵＥ１０６は、単一の共有無線器を使用して、ＣＤＭＡ２０００（１ｘＲＴＴ／１ｘＥＶ−ＤＯ）又はＬＴＥのいずれかを使用して通信するように構成され得る。共有無線器には、単一のアンテナを含めてよく、又は無線通信を行うための複数のアンテナ（例えば、ＭＩＭＯ用）を含めてよい。代わりに、ＵＥ１０６は、通信するように構成された各無線通信プロトコルのための別個の送信及び／又は受信チェーン（例えば、別々のアンテナ及び他の無線コンポーネントを含む）を含み得る。別の代替として、ＵＥ１０６は、複数の無線通信プロトコルの間で共有される１つ以上の無線器、及び単一の無線通信プロトコルによって独占的に使用される１つ以上の無線器を含み得る。例えば、１組の実施形態において、ＵＥ１０６はＬＴＥ又は１ｘＲＴＴのいずれかを使用して通信するための共有無線器、並びにＷｉ−Ｆｉ及びＢｌｕｅｔｏｏｔｈ（登録商標）のそれぞれを使用して通信するための別々の無線器を含み得る。他の構成もまた、可能である。
【００６６】
ＵＥ１０６は、また基地局１０２に提供され得るチャネル品質情報を生成するよう構成できる。基地局１０２は、１つ以上のＵＥ１０６から受信したチャネル品質情報を用いて、それぞれのＵＥ１０６、又は場合によっては他のＵＥ１０６との通信を調整することができる。例えば、基地局１０２は、カバレッジ領域（又はセル）内の様々なＵＥの間の通信スケジューリングを調整するために、複数のＵＥ１０６からチャネル品質情報を受信して利用することができる。ＢＳ１０２は、以下に詳細に述べるように、ＵＥ１０６から受信したチャネル品質情報の少なくとも一部に基づいてＵＥ１０６の変調及び符号化スキームの組み合わせを決定する際に、チャネル品質を利用してもよい。
図３−ＵＥの例示的なブロック図
【００６７】
図３は、ＵＥ１０６の例示的なブロック図を示している。図示のとおり、ＵＥ１０６は、種々の目的のための部分を有するシステムオンチップ（ＳＯＣ）３００を含むことができる。例えば、図示のとおり、ＳＯＣ３００は、ＵＥ１０６のためのプログラム命令を実行し得るプロセッサ（複数可）３０２と、グラフィック処理を実行し、ディスプレイ３４０に表示信号を提供することができる表示回路３０４とを含んでもよい。プロセッサ（複数可）３０２はメモリ管理ユニット（ＭＭＵ）３４０に結合されてもよく、ＭＭＵ３４０は、プロセッサ（複数可）３０２からアドレスを受信し、それらのアドレスを、メモリ（例えば、メモリ３０６、読み出し専用メモリ（ＲＯＭ）３５０、ＮＡＮＤフラッシュメモリ３１０）内の位置に変換し、並びに／又は表示回路３０４、無線器３３０、コネクタＩ／Ｆ３２０、及び／若しくはディスプレイ３４０等の、その他の回路又はデバイスに変換するように構成してもよい。ＭＭＵ３４０は、メモリ保護及びページテーブル変換又はセットアップを実行するように構成することができる。実施形態によっては、ＭＭＵ３４０はプロセッサ（複数可）３０２の一部として含まれてもよい。
【００６８】
図３に示すように、ＲＯＭ３５０は、起動又は初期化時にプロセッサ３０２によって実行され得るブートローダを含んでもよい。同様に図示されているとおり、ＳＯＣ３００はＵＥ１０６の種々の他の回路に結合することができる。例えば、ＵＥ１０６は、（例えば、ＮＡＮＤフラッシュ３１０を含む）種々のタイプのメモリ、（例えば、コンピュータシステムに結合するための）コネクタインタフェース３２０、ディスプレイ３４０、及び（例えば、ＬＴＥ、ＣＤＭＡ２０００、Ｂｌｕｅｔｏｏｔｈ（登録商標）、ＷｉＦｉ等のための）無線通信回路を含み得る。
【００６９】
ＵＥデバイス１０６は、基地局及び／又は他のデバイスとの無線通信を実行するために、少なくとも１つのアンテナ、及び場合によっては複数のアンテナを含み得る。例えば、ＵＥデバイス１０６は、アンテナ３３５を使用して無線通信を実行することができる。上述したように、ＵＥは、複数の無線通信規格を使用して無線で通信するように構成することができる。
【００７０】
本明細書で説明したとおり、ＵＥ１０６は、本開示の実施形態に係るチャネル品質フィードバックオフセットを生成する方法を実装するためのハードウェア及びソフトウェアのコンポーネントを含むことができる。図５及びこれに関連して提供される説明は、１組の実施形態に係るそのような一つの方法に関するものである。
【００７１】
ＵＥデバイス１０６のプロセッサ３０２は、例えば、メモリ媒体（例えば、不揮発性コンピュータ可読メモリ媒体）に記憶されたプログラム命令を実行することによって、本明細書に記載される方法の一部又は全部を実行するように構成され得る。他の実施形態では、プロセッサ３０２は、ＦＰＧＡ（フィールドプログラマブルゲートアレイ）等のプログラム可能なハードウェア要素として、又はＡＳＩＣ（特定用途向け集積回路）として構成され得る。
図４−フローチャート
【００７２】
図４は、無線ＵＥデバイス（ＵＥ１０６などの）によって実行することができる通信の中断後のダウンリンクスループットの割り付けを操作するための方法を示すフローチャート図である。図４に示される方法は、デバイスの中でもとりわけ、上記の図に示されているコンピュータシステム又はデバイスの任意のものと共に使用することができる。種々の実施形態において、図示の方法要素の一部は、同時に実行してもよく、図示のものとは異なる順序で実行してもよく、又は省略してもよい。必要に応じて、追加の方法要素が実行されてもよい。図示のとおり、この方法は以下のように動作できる。
【００７３】
ＵＥデバイスは、第１の無線通信プロトコルに応じて、第１の基地局（ＢＳ）と通信することができる。ある時点で、ＵＥと第１のＢＳとの通信の中断が生じることがある。多くの理由のいずれかによって、通信の中断が発生する可能性がある。実施形態によって、中断は「不連続な中断」であり得る。本状況において、不連続な中断という用語は、中断が終了した後に、チャネル状態に任意の継続的な影響を有することが予想されていない中断を指すために使用される。例えば、不連続な中断は、一回の自然な、又はチャネル状態に影響を与える人為的な事象により発生するか、又は、ＵＥデバイスが能動的に通信を中断することにより発生する可能性がある。
【００７４】
例えば、中断は長いフェードであり得る。この場合には、ＵＥは、チャネル状態の監視（たとえば、質的指標の測定）により中断が起きていると判断することができ、また一定の条件が満たされた場合（たとえば、チャネル条件が一旦通常の範囲内に戻った場合）に、中断（長いフェード）が終了したと判断することができる。多くの場合、長いフェードが終わった後で、チャネル状態に与える実質的な影響が残留していないことがあるので、長いフェードは不連続な中断と見なされる場合がある。
【００７５】
別の可能性として、上述のように、不連続な中断は、ＵＥデバイスが能動的に通信を中断することにより発生する可能性がある。例えば、ＵＥは、第１及び第２の無線通信プロトコルとの間で共有の無線器を用いて第２の無線通信プロトコルを使用して通信するように構成することができる。通信の中断は、この場合、第２の無線通信プロトコルに従って第２の基地局と通信するために、ＵＥデバイスが第１のＢＳから「チューニングアウェイ」することを含むことができる。この場合、ＵＥは、ＵＥデバイスが第１の無線通信プロトコルに従って第１のＢＳと「チューンバック」して通信を再開した場合に、中断が終了したと判断することができる。この場合、「チューンアウェイ」したことは、ＵＥが一旦「チューンバック」すると、現在のチャネル状態に影響を及ぼさないかもしれないので、これは不連続な中断と見なすことができる。
【００７６】
４０２において、ＵＥデバイスは、中断の後、第１の無線通信プロトコルによる第１のＢＳとの通信を再開することができる。
【００７７】
４０４において、ＵＥは、第１のチャネル品質情報を生成してもよい。第１のチャネル品質情報は、例えば、第１の無線通信プロトコルがＬＴＥである場合には、ＣＱＩ値を含むことができる。ＣＱＩ値への変形、代替、及び／又は補足は、必要に応じて、同様に又は代替的に使用してもよい（例えば、ＣＤＭＡ２０００又はＷｉＭＡＸのような異なる通信システムで）。第１のチャネル品質情報は、信号対雑音比（ＳＮＲ）、信号対干渉雑音比（ＳＩＮＲ）、スペクトル効率（ＳＥ）推定のような第１の１つ以上のチャネル品質測定値、及び／又はチャネル品質を示す種々の他の測定値又は推定値のいずれかに少なくとも部分的に基づいて生成されてもよい。
【００７８】
また、必要に応じて、第１のチャネル品質情報は、第１のオフセットによって修正されてもよい。例えば、第１のオフセットは、ＵＥと第１のＢＳとの間の通信の中断が発生したと判断することに基づいて、第１のＢＳによるダウンリンクのスループットの割り当て（例えば、ＭＣＳ割り当てによって反映されるように）を操作するように構成することができる。一例として、第１のオフセットは小さな固定のオフセットでもよい。あるいは、必要に応じて、第１のチャネル品質情報は、第１の１つ以上のチャネル品質測定値に全て基づいてもよい。第１のチャネル品質情報は、第１のＢＳに送信することができる。
【００７９】
４０６において、ＵＥは、第１のＢＳから第１のダウンリンクチャネル情報を受信してもよい。第１のダウンリンクのチャネル情報は、第１の割り当てられたダウンリンクスループットを反映することができる。例えば、第１のダウンリンクチャンネル情報は、第１のＭＣＳ割り当てを含んでもよく、この割り当ては、第１のＢＳからＵＥへのダウンリンク通信に使用される変調及び符号化の種類を指定することができる。ＭＣＳの割り当ては、直接第１のＢＳからＵＥへのダウンリンクのスループットに影響を及ぼし得るので、効果的にＵＥのダウンリンクのスループット割り当てを反映していると考えてもよい。例えば、ＬＴＥにおいて、ＱＰＳＫ、１６ＱＡＭ、又は６４ＱＡＭ変調方式のいずれかが、様々な符号化率との組み合わせで使用することができる。各組み合わせは、誤り率に応じて、ＵＥと第１のＢＳとの間の異なる実効スループットをもたらし得る。理想的には、ＢＳは、合理的な誤り率を維持しながら、スループットを最大にする（場合によっては、ＵＥデバイスのＱｏＳ又はサービス条件に依存する）ＭＣＳ割り当てを選択することができる。必要であれば、ＭＣＳの代わりに又は追加して、割り当てられたダウンリンクスループットを反映する他の種類のダウンリンクチャネル情報を使用してもよい。
【００８０】
第１のダウンリンクスループットは、ＵＥから受信した第１のチャネル品質情報に少なくとも部分的に基づいて、ＢＳによって割り当てられてもよい。例えば、第１のＢＳによるＭＣＳの割り当ては、ＵＥから受信したチャネル品質情報に少なくとも部分的に基づいてもよい。第１のＢＳによるＭＣＳの割り当てはまた、１つ以上のブロック誤り率推定値のような、最近の１つ以上のダウンリンク誤り率の推定値に少なくとも部分的に基づくことができる。理想的には、最近のダウンリンク誤り率のＢＳによる推定は、該当期間にわたる実際のチャネル状態を反映する。しかし、ダウンリンク誤り率の推定が、通信が中断している期間の推定を含む場合、その少なくとも一部は現在のチャネル状態を反映しないかもしれないが、ある期間にわたってチャネル状態を反映することができる。
【００８１】
例えば、ＵＥは、通信が中断している期間中にダウンリンクのデータの成功又は失敗率に関連する情報（例えば、ＡＣＫ／ＮＡＣＫ情報）を報告しない場合がある。そのため、ＢＳは、成功又は失敗率の報告の欠如は失敗したダウンリンク通信の指標であると見なすかもしれないので、その期間中のＢＳによるダウンリンク誤り率の推定値は増加し得る。したがって、成功又は失敗率の報告の欠如が、不連続な通信の中断の結果であり、進行中の不良なチャネル状態の結果でない場合、通信中断中の少なくとも一部の期間を含むＢＳによるダウンリンク誤り率の推定を使用することは、例えば、ＵＥがチューンバックしてきた場合には、実際のチャネル状態を反映していない可能性がある。
【００８２】
４０８において、ＵＥは、第２のチャネル品質情報を生成してもよい。第１のチャネル品質情報とほぼ同様に、第２のチャネル品質情報は、ＣＱＩ値（例えば、第１の無線通信プロトコルがＬＴＥの場合）及び／又は他の種類の任意のチャネル品質情報を含むことができる。第２のチャネル品質情報は、第２の１つ以上のチャネル品質測定値に少なくとも部分的に基づいて生成することができ、第１の１つ以上のチャネル品質測定値と同様に、チャネル品質を示す種々の測定値又は推定値のいずれかを含むことができる。
【００８３】
第２のチャネル品質情報も第２のオフセットに基づく（又は修正される）ことができる。第２のオフセットは、第１のダウンリンクチャネル情報（例えば、第１の１つ以上のチャネル品質測定値）に少なくとも部分的に基づいて生成されてもよく、将来のダウンリンクのスループットの割り当て（例えば、ＭＣＳの割り当てによって反映されるような）を修正するように構成することができる。例えば、第１のＢＳは、通信が中断している時間のダウンリンク誤り率の推定を含み得るので、それに基づいて選択されたＭＣＳの割り当ては、実際の現在のチャネル状態に最適でないかもしれない。したがって、実際の現在のチャネル状態に対してより適切となるように、ＢＳによるＭＣＳの割り当てを操作するように第２のオフセットを構成することが望ましい場合がある。
【００８４】
したがって、ＵＥは、第１のチャネル品質情報に基づいて適切な第１のＭＣＳ割り当てを推定し、推定された適切な第１のＭＣＳ割り当てと実際の第１のＭＣＳ割り当てとの差を計算することができる。この差は、例えば、将来の実際のＭＣＳ割り当てと、推定した適切なＭＣＳ割り当てとの差を低減するために、第２のオフセットを生成するための基礎として使用することができる。
【００８５】
更に、第２のオフセットは、少なくとも部分的に、ダウンリンク誤り率の推定に基づくか、場合によってはダウンリンク誤り率を表す情報に基づいて生成してもよい。例えば、ダウンリンクのデータブロックは、巡回冗長検査（ＣＲＣ）情報を含むことができ、この情報は、ＵＥが第１のＢＳからダウンリンクチャネルを介してデータの受信に成功したか否かを確認するために使用することができる。第１のＢＳとの通信再開以降に、受信に成功したそのようなデータブロックがどれだけあるか、そして受信に失敗したデータブロックがどれだけあるかを監視し、そのような情報を目標ダウンリンク誤り率を示す情報と組み合わせて、第２のオフセット生成の一部として使用することにより、第２のオフセットがＭＣＳの割り当てを過剰に操作していないことを確認するための照合をＵＥは提供することができる。例えば、ＵＥにおけるダウンリンク誤り率が目標ダウンリンク誤り率以下である（より良い）ことをＵＥの計算が示す場合、ＵＥデバイスは、第２のオフセットにより第２のチャネル品質情報を修正すればよい。必要に応じて、ダウンリンク誤り率の推定と目標ダウンリンク誤り率とは、更に又は代替的に、第２のオフセットを生成する別の方法で利用することができる。第２のチャネル品質情報（例えば、第２のオフセットによって修正されるような）は、第１のＢＳに送信することができる。
【００８６】
４１０において、ＵＥは、第２のダウンリンクチャネル情報を受信してもよい。例えば、ＢＳは、ＵＥに対して第２のＭＣＳを割り当て、送信することができる。第２のＭＣＳは、ＵＥから受信した第２のチャネル品質情報に少なくとも部分的に基づいて、ＢＳによって選択されることができる。第２のチャネル品質情報は第２のオフセットを含み得るので、第２のＭＣＳは、第１のＭＣＳが第１のＭＣＳの推定値に近づくよりも更に密接に、適切な第２のＭＣＳの推定値（例えば、適切な第１のＭＣＳの推定値に関して上述したのと同様の方法で生成することができる）に近づくことができる。
【００８７】
ＵＥは、反復的に将来のＭＣＳの割り当てを受信し、一定期間同様の方法で将来のＭＣＳの割り当てを修正するように構成されたオフセットを含むか、又はそのオフセットにより修正された、将来のチャネル品質情報を生成し続けることができる。これが発生するであろう期間は、少なくとも部分的に通信中断時間に基づくことができる。その期間が経過した後に、ＵＥは、将来のＭＣＳの割り当てを受信し、将来のチャネル品質情報を生成し続けることができるが、これらのチャネル品質情報の送信は、上述のようなオフセットを含まないか、又はそのオフセットにより修正されない場合がある。
【００８８】
ＵＥは、たとえ修正するように設定されている時間内であっても、すべての場合においてまで、チャネル品質情報をオフセットにより修正する必要はないであろうことに留意されたい。例えば、適切なＭＣＳの推定値が実際のＭＣＳと一致する場合、実際のＭＣＳは、ＵＥがその時点で遭遇しているチャネル状態に適切なＭＣＳであり得るため、次のチャネル品質情報レポートを操作する必要がないかもしれない。
【００８９】
したがって、種々の実施形態により上記で説明されたような図４の方法を利用することによって、ＵＥは、ＢＳとＵＥとの間の不連続な通信の中断の結果としてＢＳにより課される不当なＭＣＳのペナルティから、有利にかつ急速に回復するか、及び／又は回避することができる。
図５〜９−例示的な実装
【００９０】
図５〜９は、図４の方法について、選択して例示的に実装する態様を説明する図である。図５〜９の例示的な１組の実施形態の多数の具体的な詳細は、一例として、本明細書で以下に提示される。しかし、図５〜９の例示的な実施形態の特定な詳細に関する任意の数の変形又は代替は、必要に応じて実施することができ、よって、それについて提示される説明は、全体として本開示を限定するものと考えるべきではないことを当業者は理解するであろう。
【００９１】
図５〜９の実施形態の例示的なセットでは、ＵＥデバイスは、ＬＴＥ無線通信プロトコルを介して基地局と通信するように構成することができる。ＬＴＥに従って動作する基地局はまた、「ｅＮｏｄｅＢＳ」又は「ｅＮＢＳ」と呼ぶことができる。ＵＥデバイスはまた、必要でないかもしれないが、ＣＤＭＡ２０００（例えば、１ｘＲＴＴ及び／又は１ｘＥＶ−ＤＯを含む）などの別のセルラー通信プロトコルを用いて基地局と通信するように構成することができる。基地局はＬＴＥ又はＣＤＭＡ２０００のいずれかに従って動作することができるが、両方に従って動作することはない場合もあることに留意されたい。
【００９２】
ＬＴＥプロトコルの一部として、ＵＥデバイスは、時々（周期的又は非周期的に）受信機におけるダウンリンクチャネルの状態の品質を反映した情報を含むことができるチャネル状態フィードバックのレポートを送信することができる。ＬＴＥで使用されるようなメトリクスの一例は、チャネル品質インジケータ（ＣＱＩ）である。ＣＱＩは、主にチャネル品質を反映することができる０〜１５の値としてＬＴＥで定義されている。これは、実装に応じて、チャネル推定、雑音推定、信号対雑音比（ＳＮＲ）推定、信号対干渉雑音比（ＳＩＮＲ）推定、及び／又は他の要因に基づくことができる。ｅＮＢは、ＵＥによって報告されたＣＱＩに基づいて、ＵＥにおけるダウンリンク（ＤＬ）ＳＩＮＲを推定（例えば、マッピングテーブルを使用して）することができる。いくつかの実施形態で使用することができるチャネル状態のメトリクスの別の例は、ＵＥがスループットを最適化するためにサポートすることができる伝送レイヤーの数の指標となり得るランク指標（ＲＩ）である。
【００９３】
ＬＴＥプロトコルのもう一つの要素は、肯定承認（「ＡＣＫ」）と否定承認（「ＮＡＣＫ」）メッセージの使用を含む。ＵＥは、ｅＮＢにＡＣＫメッセージを送信することによって、データのブロック（例えば、トランスポートブロック）の受信に成功したことを確認することができる。同様に、ＵＥは、ｅＮＢにＮＡＣＫメッセージを送信することによって、データのブロックの受信に失敗したことをｅＮＢに通知することができる。ＵＥは、各データブロックの受信の成功又は失敗を判断する際に、データブロック内の巡回冗長検査（ＣＲＣ）のサフィックスを利用することができる。ＡＣＫ及びＮＡＣＫメッセージは、ＵＥにおけるＤＬのブロック誤り率（ＢＬＥＲ）を推定するために、ｅＮＢによって交互に使用されてもよい。
【００９４】
無線ネットワークにおいて一般にリンク適応（link adaptation）と称されるプロセスは、目標サービス品質（ＱｏＳ）とＢＬＥＲを達成するために、ＵＥデバイスの適切な変調及び符号化スキーム（ＭＣＳ）と電力を選択することに使用されてもよい。具体的には、アウターループリンク適応と呼ばれるこのプロセスの一態様は、ＵＥが報告したＣＱＩ（及び、場合によってはＲＩ）と推定ＤＬ  ＢＬＥＲに基づいて、ｅＮＢがＵＥのＭＣＳを決定するために使用してもよい。決定は、図９に示すようなＣＱＩをＭＣＳにマッピングするテーブル、及び／又はＲＩの変化がＭＣＳに及ぼす影響をマッピングするテーブル、等のような１つ以上のマッピングテーブルに基づいてもよい。
【００９５】
図５は、そのような外側ループリンク適応に関連する通信に従事するＢＳ５０２とＵＥデバイス５０６を示すシステム図である。図示のように、ＢＳ５０２及びＵＥ５０６は、それぞれ、１つ以上のアンテナ及び無線通信を行うための種々の機能ブロックを含む。この機能ブロックには、ＡＣＫ／ＮＡＣＫメッセージを生成し、ＵＥ５０６におけるＣＱＩの推定を行うための機能ブロックと、ＤＬ  ＢＬＥＲを推定し、ＤＬ  ＳＩＮＲを推定し、ＭＣＳを選択し、ＢＳ５０２においてにＤＬ資源を割り当てる機能ブロックとが含まれる。当業者であれば、典型的な実装の詳細を不明瞭になるのを避けるために図５に示されていない多数の他のシステム構成要素をＵＥ５０６とＢＳ５０２が典型的に含むことができることを認識するであろう。
【００９６】
図示のように、ＵＥ５０６は、ＡＣＫ／ＮＡＣＫメッセージと、ＣＱＩ測定値と、及びＲＩ測定値を生成し、アップリンクチャネルを介してそのような情報を送信することができる。ＢＳ５０２は、ＤＬ  ＢＬＥＲを推定する（例えば、受信に成功したブロック数と失敗したブロック数に基づいて）ためにＡＣＫ／ＮＡＣＫメッセージを使用し、ＤＬ  ＳＩＮＲ（例えば、所定のマッピングを使用して）を推定するためにＣＱＩを使用してもよい。ＢＳ５０２は、次にＤＬ  ＢＬＥＲと、ＤＬ  ＳＩＮＲと、目標ＢＬＥＲに基づいて、ＵＥ５０６のＭＣＳを選択することができる。
【００９７】
例えば、１組の実施形態によれば、推定ＢＬＥＲと目標ＢＬＥＲは、ＤＬ  ＳＩＮＲのオフセットを選択するために使用することができる。測定されたＢＬＥＲが目標ＢＬＥＲより低い（良い）か高い（悪い）かに応じて、オフセットは、それぞれ正又は負になり得る。オフセットは推定ＤＬ  ＳＩＮＲに適用され、その後、ＳＩＮＲ−ＭＣＳマッピングに基づいて、ＭＣＳを選択するために使用することができる。
【００９８】
ＵＥ５０６は、次に、ＢＳ５０２からＤＬチャネルを介して、ＭＣＳの割り当てとＤＬスケジューリング情報を提供され、続いて、ＢＳ５０２からＤＬチャネルを介して、ＭＣＳの割り当てとスケジューリング情報に従って、さらなるデータを受信することができる。ＵＥ５０６は、その後、更にＣＱＩ測定を行い、ＤＬチャネルを介して受信した情報に基づいて、更にＡＣＫ／ＮＡＣＫメッセージを生成し、ＵＬチャネルを介してＢＳ５０２にそのような情報を送信することにより、変化するチャネル状態に応じてＭＣＳが動的に調整されるような定常状態のサイクルを提供することができる。
【００９９】
このシステムは、ＵＥ５０６とＢＳ５０２との間の通信に不連続な中断がない限り、良好に機能する。しかし、長いフェードが発生している状況では、ＵＥ５０６とＢＳ５０２との間の通信の中断により、ＵＥ５０６はＢＳ５０２との同期を失い、ＢＳ５０２におけるＤＬ  ＢＬＥＲの推定が大きな値（場合によっては１００％）に成長することを引き起こす。
【０１００】
更に、いくつかのＵＥは、複数のセルラー通信プロトコルに従って通信する単一の無線器を使用するように構成されている。例えば、１組の実施形態によれば、ＵＥ５０６は、単一の無線器を使用するＬＴＥ又はＣＤＭＡ２０００のいずれかを使用して通信するように構成され得る。この場合には、ＵＥ５０６は、通常、セルラー通信プロトコルのうちの一つ（例えば、ＬＴＥ）を使用することが通例であるが、他のセルラー通信プロトコル（例えば、ＣＤＭＡ２０００  １ｘＲＴＴ）を使用するために、時折無線を「チューンアウェイ」する、例えばページングチャネル（paging channel)を聴くことが一般的である。このような「チューンアウェイ」の間、ＵＥ５０６と元のセルラー通信プロトコルとの接続は中断されているかもしれない。長いフェードと同様に、これはＵＥ５０６とＢＳ５０２との間の同期の損失を引き起こし、ＢＳ５０２がＵＥ５０６のＤＬＢＬＥＲを非常に高く（再び、場合によっては１００％）推定することに至る可能性がある。
【０１０１】
したがって、ＵＥ５０６及びＢＳ５０２の間の不連続な通信の中断が発生する場合には、中断中の高いＤＬ  ＢＬＥＲの推定により、ＢＳ５０２はＵＥ５０２に対して、現在のチャネル状態により保証されるよりも低いスループットのＭＣＳを割り当てる可能性がある。この結果として、ＵＥ５０２は、理想的なＤＬスループットよりも低コストで、目標ＤＬ  ＢＬＥＲより低い（良い）ＤＬ  ＢＬＥＲを獲得することができる。
【０１０２】
通信の中断が現在のチャネル状態を反映していないことがＵＥ５０６において知られているような場合（例えば、ＵＥ５０６により同期が外れたことにより引き起こされたため、又はフェードが終了したことをＵＥ５０６が検出するため）、ＢＳ５０２がＭＣＳを割り当てる基準に基づく測定値に対して、ＵＥ５０６が１つ以上の調整を行うことが望ましい場合がある。これにより、ＵＥ５０６は、目標ＱｏＳとＢＬＥＲの両方を達成することができるＭＣＳをより迅速に取得することができる。
【０１０３】
このような調整の例は、ＣＱＩオフセットを含む場合があり得る。ＣＱＩは、ＢＳ５０２によってＤＬ  ＳＩＮＲを推定するために使用され、次はＵＥ５０６のＭＣＳを選択するために使用されるため、もし、ＵＥ５０６がその測定されたＣＱＩをＣＱＩオフセットで修正する場合、これが今度はＵＥ５０６に割り当てられるＭＣＳに直接かつ予測的に影響する。ＣＱＩオフセットが、ＢＳ５０２によりＵＥ５０６に割り当てられたＭＣＳと、現在のＤＬ  ＢＬＥＲとＳＩＮＲを反映するＭＣＳとの違いをなくすように選択される場合、次のＭＣＳは、より正確に現在のチャネル状態を反映するであろう。
【０１０４】
したがって、図５〜９の例示的な実施形態において、ＵＥ５０６は、ＵＥ５０６とＢＳ５０２との間の通信の中断後に、より迅速に適切なＭＣＳの割り当てを得るために、そのようなＣＱＩの修正を行うように構成することができる。ＵＥ５０６は、ＢＳ５０２との通信の中断から「復帰」したと判断した後、ある期間中にそのようなＣＱＩの修正を実装する方法を実行することができる。図６は、１組の実施形態に係るこのような方法のステップを示すフローチャートである。図７は、図６の方法に対応する時間枠を示すタイミング図である。図８は、図６の方法に関連して、ＣＱＩオフセットを生成する際に使用することができる機能ブロックを示す図である。本方法は次のとおり実行され得る。
【０１０５】
最初に、ＵＥ５０６は、例えば１ｘＲＴＴのページングメッセージをチェックするためにある期間の間、ＬＴＥとの「チューニングアウェイ」の後、「チューンバック」することがある。このとき、タイマー（「Ｔ」）は、Ｔ＝０の初期条件で開始することができる。
【０１０６】
チューンバックした後の最初の期間の間、ＵＥ５０６は、まだＭＣＳを受信していない可能性があるので、どの程度（もしあれば）ＢＳ５０２がそのＭＣＳの割り当てについてＵＥ５０６に「不利益を課す」（実際のチャネル条件に対して）であろうかを知らないかもしれない。したがって、第１の期間の間（例えば、Ｔ＝０からＴ＝ＴＷＡＩＴまで）、ＵＥ５０６は第１の方法でＣＱＩ値を生成することができる。
【０１０７】
第１の方法は、通常どおりのＣＱＩ（「ＣＱＩｎｏ−ｏｆｆｓｅｔ」と呼ぶ）を測定する工程と、＋１の公称オフセットを加算する工程と、ＣＱＩレポートにおいて加算結果のＣＱＩ値と最大可能なＣＱＩ値（例えば、１５）との小さい方をＢＳ５０２に送信する工程と、を含み得る。あるいは、第１の方法は、単純にＣＱＩｎｏ−ｏｆｆｓｅｔを測定しＣＱＩレポートにおいて任意のオフセットのない値を送信する、工程を含んでもよい。この方法で低いオフセットを使用するか又は全く使用しないことで、ＵＥ５０６は予想されるＭＣＳペナルティを過剰に補償することを避けることができ、この結果として、ＵＥ５０６は、実際のＢＬＥＲが目標ＢＬＥＲよりも大きくなるようなＭＣＳを割り当てられる可能性がある。
【０１０８】
ＴＷＡＩＴの値は、受信されるＵＥ５０６による最初のＣＱＩレポートがＢＳ５０６で（例えばＢＳ５０６のスケジューラで）受信されて効果を表すための十分な時間を許すように選択されてもよい。例えば、いくつかの実施形態によれば、図７に示すように、ＴＷＡＩＴ＝ＴＦｉｒｓｔ−ＣＱＩ＋ΔＴであり、ＴＦｉｒｓｔ−ＣＱＩはチューニングバック後の第１のＣＱＩレポートの発生時刻、ΔＴはＢＳ５０６で第１のＣＱＩが効果を表すのに必要な時間を確保するための遅れ時間である。
【０１０９】
最初のＣＱＩレポートがＢＳ５０６で効果を表す時間が経過した（例えば、更に、ＵＥ５０６がＢＳ５０２からＭＣＳを受信した）ならば、ＢＳ５０２によって割り当てられたＭＣＳが現在のチャネル状態を反映してない場合、ＵＥ５０６はそのＣＱＩレポートを調整することが適切であろう。したがって、図６及び図７に示すように、第２の期間中（例えばＴ＝ＴＷＡＩＴからＴ＝ＴＷＡＩＴ＋δまでの間）に、ＵＥ５０６は第２の方法でＣＱＩ値を生成することができる。
【０１１０】
第２の方法は、ＣＱＩｎｏ−ｏｆｆｓｅｔを測定する工程と、ＣＱＩオフセット（「α」（このαの導出については、種々の実施形態に従って本明細書で以下に詳細に説明する））を加算する工程と、ＣＱＩレポートにおいて加算結果のＣＱＩ値と最大可能なＣＱＩ値（例えば、１５）との小さい方をＢＳ５０２に送信する工程と、を含み得る。
【０１１１】
ＣＱＩオフセットαは、現在のチャネル状態に合致したＭＣＳの割り当てをもたらすことを意図した方法で選択することができる。したがって、ＣＱＩオフセットαを生成するプロセスは、いくつかの実施形態では、現在のチャネル条件下でＭＣＳはどうなるかを推定する工程と、このＭＣＳ推定値と実際の割り当てられたＭＣＳとの間の差を判断し、これをＣＱＩオフセットα決定の基礎として使用する工程と、を含むことができる。
【０１１２】
より具体的には、図８に示すように、ＵＥ５０６は、ＣＱＩオフセットαの計算のための入力として、ＣＱＩｎｏ−ｏｆｆｓｅｔの値、チューンバック以降のＤＬ伝送（例えば、ＰＤＳＣＨ伝送）のＣＲＣ検出結果と、ＢＬＥＲ目標と、ＤＬチャネルを介してＢＳ５０２によってＵＥ５０６に割り当てられた実際のＭＣＳとを使用することができる。図示のように、ＣＱＩｎｏ−ｏｆｆｓｅｔの値は、ＣＱＩ−ＭＣＳマッピングのブロックにおいて、ＭＣＳの推定値に対応づけることができ、その推定値は他の入力と共にＣＱＩオフセット決定ブロックに渡され得る。選択されたオフセットは、ＣＱＩｎｏ−ｏｆｆｓｅｔに追加することができ、その追加結果と最大可能なＣＱＩ値とのうち小さい方をＣＱＩレポートで使用することができる。
【０１１３】
オフセットの大きさは、割り当てられたＭＣＳと推定されたＭＣＳとの差の大きさに依存することが通常望ましいであろう。前述のように、ＭＣＳ値は、ＵＥにおけるＳＩＮＲの代表としてのＣＱＩの解釈に基づいて、選択することができる。更に前述のように、ＢＳは、ＣＱＩレポートに基づいて推定したＳＩＮＲに対して、ＢＳにより生成されたＢＬＥＲの推定値に基づいたＳＩＮＲのオフセットを適用する場合がある。ＬＴＥにおいては、１デシベルＳＩＮＲステップは、１ＭＣＳステップに相当する。ＣＱＩステップは２デシベルＳＩＮＲに対応している。したがって、割り当てられたＭＣＳと推定されたＭＣＳの差を相殺するために、一般的な方策は、その差を２で割り、ＣＱＩオフセットとしてその結果を適用することである。
【０１１４】
しかし、これらの値からＣＱＩオフセットαを生成するために使用される正確な方法は、実装に依存して変化し得る。例えば、どの程度積極的にＭＣＳの割り当てを操作することが望まれるのかに応じて、特定の照合及び制限を計算に適用することができる。例えば、推定されたＢＬＥＲが目標ＢＬＥＲを満たさないか凌駕していない場合、ＭＣＳの割り当てを操作することは望ましくないかもしれない。また、理想のＭＣＳが度を超すことを避けるために、ＣＱＩのオフセットαを可能な最大値まで制限することが望ましいであろう。通常、割り当てられたＭＣＳが推定されたＭＣＳと一致せず、また推定されたＢＬＥＲ（ＣＲＣ結果に基づいて）が目標ＢＬＥＲを満たすか、凌駕する場合、これは、現在のチャネル状態をより密接に反映するように、割り当てられたＭＣＳを操作するオフセットを生成するべきであることを示している可能性がある。
【０１１５】
１組の実施形態によれば、ＣＱＩオフセットαは次のように計算することができる。
【数１】
0005912001.tif 000002
とすれば、
【数２】
0005912001.tif 000003
となり、式中、
【数３】
0005912001.tif 000004
である。
【０１１６】
この例では、ｌａｓｔＭＣＳａｌｌｏｃは、本ＵＥのＣＱＩレポートの前にＢＳによって割り当てられた最近のＭＣＳに対応する一方、ＭＣＳｒｅｐｏｒｔは、ＵＥが前回のＣＱＩレポートをＭＣＳ値にマッピングすることによって得られたＭＣＳ推定値を意味する。ＣＲＣｉは、チューンバック以降のＤＬ  ＰＤＳＣＨのｉ番目の新しい伝送の検出を表す。ＤＬ送信がスケジューリングされていない場合、これは、まだＵＥでＭＣＳ及びＣＲＣ情報が利用できないことを意味するので、この場合、第１の期間中と同様な方法で同様の理由により、公称値のα＝１が使用される。
【０１１７】
値μは目標ＢＬＥＲを表し得る。この例では、０．１１の値を１０％のＢＬＥＲ目標のために使用することができる。他の値は、必要に応じて、例えば他の目標ＢＬＥＲのため、使用することができる。φ値は、非常に大きいＣＱＩオフセットを使用してＢＳにＣＱＩを著しく詐称することを回避するために、オフセット限界として使用することができる。３の値は、例として提示されているが、他の値を容易に使用することができる。
【０１１８】
必要に応じて、ＣＱＩオフセットαの代わりの計算は次のように行うことができる。
【数４】
0005912001.tif 000005
とすれば、
【数５】
0005912001.tif 000006
となり、式中、
【数６】
0005912001.tif 000007
である。
【０１１９】
この例では、計算は類似しているかもしれないが、ＣＱＩオフセットαを選択する上で、特にＢＬＥＲに関して、より積極的であり得る。
【０１２０】
第２の期間中にＣＱＩオフセットαを用いることにより、ＵＥ５０６は、ＣＱＩオフセットαを使用しない場合よりもより急速に、実際のチャネル状態に適切なＭＣＳを回復することができる。同時に、ＭＣＳが実際のチャネル状態に適切である場合に、ＣＱＩのオフセットが過剰に適用されないか、又は適用されないことを確実にするために適切な照合と制限とを使用することにより、ＵＥ５０６がＭＣＳの割り当てを操作する潜在的な負の影響を最小化することができる。
【０１２１】
上述したように、第２の期間はδの期間にわたり得る。δの値は、いくつかの実施形態では、ＵＥ５０６がチューンアウェイしている期間中のＢＬＥＲ推定値の使用をＢＳ５０６が停止するために十分な時間が経過するように選択することができる。これは、いくつかの実施形態において、δの値がＵＥ５０６によって動的に、例えば通信中断（例えば、チューンアウェイ又はフェード）の長さ及び／又はＢＳ５０２でのＢＬＥＲ推定アルゴリズムの知識に基づいて決定されてもよいことを意味し得る。
【０１２２】
第２の期間が終了した後（例えば、タイマーＴがＴ＝ＴＷＡＩＴ＋δに到達した後）、ＵＥ５０６は、ＣＱＩレポートを生成する際にＣＱＩオフセットの使用を中止してもよいし、単に、測定されたＣＱＩｎｏ−ｏｆｆｓｅｔ値を使用してもよい。この時点から以降（例えば、次のチューンアウェイ又は他の通信の中断まで）、割り当てられたＭＣＳが適切に実際のチャネル状態を反映しており、従ってＣＱＩレポートをＣＱＩオフセットで継続的に修正する効用はほとんどあるいは全くない可能性がある。しかしながら、いくつかの実施形態において、ＵＥ５０６が定期的に（例えば、１ｘＲＴＴのページングチャネルのスケジュールに従って）チューンアウェイするならば、ＵＥ５０６は、ＬＴＥに同期を戻す度に、適切なＭＣＳの割り当てを迅速に回復する方法を実行することができる。
【０１２３】
本開示の実施形態は種々の形態の任意のもので実現されてよい。例えば、いくつかの実施形態は、コンピュータにより実施される方法、コンピュータ可読メモリ媒体、又はコンピュータシステムとして実現されてもよい。他の実施形態は、ＡＳＩＣ等の１つ以上のカスタム設計のハードウェアデバイスを用いて実現されてもよい。更に他の実施形態は、ＦＰＧＡ等の１つ以上のプログラム可能ハードウェア要素を用いて実現してもよい。
【０１２４】
いくつかの実施形態では、不揮発性コンピュータ可読メモリ媒体は、プログラム命令及び／又はデータを記憶するように構成されてもよく、プログラム命令は、コンピュータシステムによって実行される場合、コンピュータシステムに、本方法、例えば、本明細書に記載された方法の実施形態のうちのいずれか、又は、本明細書に記載された方法の実施形態の任意の組合せ、又は、本明細書に記載された方法の実施形態のうちのいずれかの任意のサブセット、又は、そのようなサブセットの任意の組合せを実行させる。
【０１２５】
実施形態によっては、デバイス（例えば、ＵＥ）は、プロセッサ（又はプロセッサのセット）及びメモリ媒体を含むように構成されてもよい。ここで、メモリ媒体はプログラム命令を記憶し、プロセッサは、メモリ媒体からプログラム命令を読み込み、実行するように構成される。プログラム命令は、本明細書に記載されている種々の方法の実施形態の任意のもの（又は、本明細書に記載されている方法実施形態の任意の組み合わせ、又は、本明細書に記載されている方法の実施形態のいずれかの任意のサブセット、又はこのようなサブセットの任意の組み合わせ）を実施するために実行可能である。デバイスは種々の形態の任意のもので実現されてよい。
【０１２６】
上述の実施形態はかなり詳細に説明されているが、上述の開示が完全に理解されれば、当業者には数多くの変形及び変更が明らかになるであろう。添付の請求項はこのような変形及び変更を全て包含するように解釈されることが意図されている。
【図１】
0005912001.tif 000008
【図２】
0005912001.tif 000009
【図３】
0005912001.tif 000010
【図４】
0005912001.tif 000011
【図５】
0005912001.tif 000012
【図６】
0005912001.tif 000013
【図７】
0005912001.tif 000014
【図８】
0005912001.tif 000015
【図９】
0005912001.tif 000016